(57)【要約】      （修正有）【課題】狭窄部位の通過性、屈曲血管への追随性、血管内へ医療用バルーンカテーテルを挿入する際の力の伝達性、耐キンク性が良好な医療用バルーンチューブを提供する。【解決手段】バルーン拡張用ルーメン１８を構成する基端部チューブ９、中間部チューブ１０、遠位端にバルーン部１０が固定される先端部チューブ１２、ならびに、先端に先端開口部を有し、遠位端に前記バルーン部が固定され、前記先端部チューブと前記バルーン部とに覆われるガイドワイヤー通過用チューブ６を有し、前記中間部チューブおよび先端部チューブには、バルーン拡張用ルーメンとコアワイヤー１４とが存在し、前記ガイドワイヤー通過用チューブは、内層管と、当該内層管の少なくとも一部に線状体を左右いずれか一方向のみにコイル状に巻回した補強層と、前記内層管および補強層を覆う樹脂外層とを備える。【選択図】図４
2008043547.tif 000002
【特許請求の範囲】
【請求項１】
基端側から先端側にかけて、
バルーン拡張用ルーメンを構成する基端部チューブ（ａ）、
中間部チューブ（ｂ）、
遠位端にバルーン部が固定される先端部チューブ（ｃ）、ならびに、
先端に先端開口部を有し、遠位端に前記バルーン部が固定され、前記先端部チューブ（ｃ）と前記バルーン部とに覆われるガイドワイヤー通過用チューブ（ｄ）、を有する医療用バルーンカテーテルであって、
前記中間部チューブ（ｂ）および先端部チューブ（ｃ）には、バルーン拡張用ルーメンとコアワイヤーとが存在し、
前記先端部チューブ（ｃ）の近位部には、前記ガイドワイヤー通過用チューブ（ｄ）の基端側開口部であるガイドワイヤポートが存在し、
前記ガイドワイヤー通過用チューブ（ｄ）は、内層管と、当該内層管の少なくとも一部に線状体を左右いずれか一方向のみにコイル状に巻回した補強層と、前記内層管および補強層を覆う樹脂外層とを備えること、
を特徴とする医療用バルーンカテーテル。
【請求項２】
前記ガイドワイヤー通過用チューブ（ｄ）の内層管が、フッ素系樹脂からなる請求項１記載の医療用バルーンカテーテル。
【請求項３】
前記ガイドワイヤー通過用チューブ（ｄ）の線状体が、金属素線あるいは合成樹脂素線であることを特徴とする請求項１または２記載の医療用バルーンカテーテル。
【請求項４】
前記ガイドワイヤー通過用チューブ（ｄ）の樹脂外層が、ポリアミド系エラストマー、ナイロン、ポリエステル、ポリエステル系エラストマー、ポリウレタン系エラストマー、ポリオレフィン、ポリイミド、ポリイミドアミド、およびポリエーテルイミドのいずれかの樹脂材料からなる請求項１〜３のいずれかに記載の医療用バルーンカテーテル。
【発明の詳細な説明】
【技術分野】
【０００１】
本発明は、医療用途に使用される医療用バルーンカテーテルに関し、さらに詳しくは末梢血管成形、冠状動脈成形及び弁膜成形等を実施する際の経皮的血管形成術（PTA:Percutaneous Transluminal Angioplasty, PTCA:Percutaneous Transluminal Coronary Angioplastyなど）において使用される医療用バルーンカテーテルに関するものである。
【背景技術】
【０００２】
従来から、医療用バルーンカテーテルを用いた経皮的血管形成術は、血管内腔の狭窄部や閉塞部などを拡張治療し、冠動脈や末梢血管などの血流の回復または改善を目的として広く用いられている。一般的な医療用バルーンカテーテルはカテーテルシャフトの先端部に、内圧調節により膨張・収縮自在のバルーンを接合してなるものであり、前記カテーテルシャフトの内部には、ガイドワイヤが挿通される内腔（ガイドワイヤルーメン）と、前記バルーンの内圧調節用の圧力流体を供給する内腔（バルーン拡張用ルーメン）とが前記カテーテルシャフトの長軸方向に沿って設けられている。
【０００３】
このような医療用バルーンカテーテルを用いたＰＴＣＡの一般的な術例は、以下の通りである。まず、ガイドカテーテルを大腿動脈、上腕動脈、橈骨動脈等の穿刺部位から挿通し大動脈を経由させて、冠状動脈の入口にその先端を配置する。次に前記ガイドワイヤルーメンに挿通したガイドワイヤを冠状動脈の狭窄部位を越えて前進させ、このガイドワイヤに沿って医療用バルーンカテーテルを挿入してバルーンを狭窄部に一致させる。次いで、インデフレーター等を用いてバルーン拡張用ルーメンを経由して圧力流体を前記バルーンに供給し、前記バルーンを膨張させて当該狭窄部を拡張治療する。当該狭窄部を拡張治療した後は、バルーンを減圧収縮させて体外へ抜去することでＰＴＣＡを終了する。尚、本術例では、冠状動脈狭窄部におけるＰＴＣＡによる医療用バルーンカテーテルの使用例について述べたが、医療用バルーンカテーテルは末梢等の他の血管内腔や体腔における拡張治療にも広く適用されている。
【０００４】
こうした医療用バルーンカテーテルは、図１あるいは図２のようにカテーテルシャフト１の先端にバルーン２が接合され、且つ前記カテーテルシャフト１にバルーンの内圧調節用の圧力流体を供給するハブ３が接合された構造を有しており、前記カテーテルシャフト１の構造により大きく２つに分類される。
【０００５】
１つは、ガイドワイヤルーメン４が医療用バルーンカテーテルの基端側から先端側に渡って、すなわち前記医療用バルーンカテーテルの全長に渡って設けられ、ハブ３にガイドワイヤポート５が設けられているオーバー・ザ・ワイヤ型（ＯＴＷ型）である（図１）。もう１つは前記ガイドワイヤルーメンが前記医療用バルーンカテーテルの先端側にのみ設けられ、ガイドワイヤポート５がカテーテルシャフト１の途中に設けられている高速交換型（ＲＸ型）である（図２）。
【０００６】
医療用バルーンカテーテルに要求される性能は多岐に及ぶが、主たる性能は狭窄部位の通過性（crossability）、屈曲血管への追随性（trackability）、血管内へ医療用バルーンカテーテルを挿入する際の力の伝達性（pushability）の３つに大別される。また、pushabilityと関連する性能として耐キンク性（kink-resistance）も挙げられる。
【０００７】
カテーテルシャフトのプロファイル（太さ）を小さくすることでcrossabilityは向上するが、pushabilityやkink-resistanceは低下する傾向にある。また、カテーテルシャフトの剛性を高めることでpushabilityやkink-resistanceは向上するが、trackabilityは低下する傾向にある。つまり、上記の各性能は相互に密接な関連があり、すべての性能を向上させることは容易ではない。従って、crossability、pushability、trackabilityを向上させ、かつkink-resistanceを向上させるための種々の技術が開示されている。
【０００８】
特許文献１では可撓性を有する内層と、該内層の外側に被着した補強層と、該補強層の外側に被着した可撓性を有する外層とを有する医療用チューブであって、前記補強層は、少なくともその一部が、第１のコイルと、該第１のコイルと略同軸上に設けられ、該第１のコイルと逆方向に巻回する第２のコイルとからなるコイル層で構成されており、該第１のコイルおよび該第２のコイルはそれぞれ、ピッチ間の隙間の幅が0.02ｍｍ以下の密着巻きに巻回しており、前記コイル層は、その先端より基端に向かって所定長さにわたり前記内層および前記外層に実質的に接着されてなく、前記医療用チューブの基端から所定長さにわたる部分における前記コイル層の基部側のピッチ間の隙間に接着剤または樹脂材料を流入させたことを特徴とする医療用チューブが提示されている。また、この医療用チューブを用いた血管拡張用カテーテルも提示されている。
【０００９】
しかしながら、この構成はpushability、kink-resistanceは得られるが補強層を構成する第１のコイルと、該第１のコイルと略同軸上に設けられ、該第１のコイルと逆方向に巻回する第２のコイルとからなるコイル層で構成されており、第１のコイルと第２のコイルとが重ね合わされた状態となるために、チューブの肉厚が厚いものしか得られないがゆえにcrossabilityの高いものが得られない。血管拡張用カテーテルのガイドワイヤ通過用チューブは内径が大きく、かつ外径が小さいもの、すなわち肉薄のものが必要とされる。また、コイル層の基端側のピッチ間の隙間に接着剤または樹脂材料を流入させるとしているが、この処理は技術的に煩瑣であり、しかも難度が高い。さらに付け加えるならば、コイルをピッチ間の隙間の幅が0.02ｍｍ以下の密着巻きに巻回することは、コイルの材質を選択するとしても血管拡張用カテーテルとしては先端部に充分な柔軟性を付与することができず、すなわちtrackabilityが得られにくい。
【００１０】
また、特許文献２では遠位側に位置するバルーン部と近位側に位置するシャフト部とを有する細長い管状部材を備えるバルーンカテーテルアセンブリであって、該バルーン部と該シャフト部とを通って延びる中央管腔と、該シャフト部から該バルーン部の遠位側に延びている交互編組み部材とを含む、バルーンカテーテルアセンブリが提示されている。
【００１１】
この構成でもpushability、kink-resistanceは得られるが補強層を構成するのが交互編組み部材、すなわち編組をなしており、この場合補強材を構成する素線が重なり合うために、チューブの肉厚が厚いものしか得られない。それがゆえにcrossabilityの高いものが得られない。
【００１２】
さらにこの文献ではいわゆるＯＴＷ型の血管拡張カテーテルを提示しているが、編組み管状部材における隙間がカテーテルの内部管腔の間からバルーン自体への流体通路として機能させたり、バルーンのすぐ遠位側の部が管腔内のバルブシートに適合してコアワイヤまたはガイドワイヤ上に見られるバルブシートと協調させた後、流体を注入してバルーンを膨らませるなど、ＯＴＷ型の血管拡張カテーテルとしては複雑な構成を採り、また特異なバルブシートを有するコアワイヤまたはガイドワイヤが必要となり、手技の煩雑さ、さらには確実性の点で充分な血管拡張効果が得られない可能性がある。
【特許文献１】特許３６５９６６４号公報
【特許文献２】特許３１７０２１０号公報
【発明の開示】
【発明が解決しようとする課題】
【００１３】
本発明の課題は、主たる性能として、狭窄部位の通過性、屈曲血管への追随性、血管内へ医療用バルーンカテーテルを挿入する際の力の伝達性、耐キンク性が良好な医療用バルーンチューブを提供することにある。特に、本発明の課題は、それらの性能を維持しつつ、ガイドワイヤー通過用チューブに工夫を加えることにより、ガイドワイヤーは通過するがバルーン本体は通過しにくいといった従来技術の欠点を改善した、狭小病変部通過性を高めた医療用バルーンチューブを提供することにある。また、本発明は、コアワイヤやガイドワイヤ通過用チューブに補強材を用いること等、全体の構造を総合してバルーンカテーテル遠位部にコシを持たせることにより、病変部への到達性、拡張治療の確実性が高い医療用バルーンチューブを提供することにある。
【課題を解決するための手段】
【００１４】
本発明は以下の１または複数の特徴を有する。
（１）本発明は、基端側から先端側にかけて、バルーン拡張用ルーメンを構成する基端部チューブ（ａ）、中間部チューブ（ｂ）、遠位端にバルーン部が固定される先端部チューブ（ｃ）、ならびに、先端に先端開口部を有し、遠位端に前記バルーン部が固定され、前記先端部チューブ（ｃ）と前記バルーン部とに覆われるガイドワイヤー通過用チューブ（ｄ）、を有する医療用バルーンカテーテルであって、前記中間部チューブ（ｂ）および先端部チューブ（ｃ）には、バルーン拡張用ルーメンとコアワイヤーとが存在し、前記先端部チューブ（ｃ）の近位部には、前記ガイドワイヤー通過用チューブ（ｄ）の基端側開口部であるガイドワイヤポートが存在し、前記ガイドワイヤー通過用チューブ（ｄ）は、内層管と、当該内層管の少なくとも一部に線状体を左右いずれか一方向のみにコイル状に巻回した補強層と、前記内層管および補強層を覆う樹脂外層とを備えること、を特徴とする医療用バルーンカテーテルである。
（２）本発明の好適な実施形態では、前記ガイドワイヤー通過用チューブ（ｄ）の内層管が、フッ素系樹脂からなる。
（３）本発明の好適な実施形態では、前記ガイドワイヤー通過用チューブ（ｄ）の線状体が、金属素線あるいは合成樹脂素線である。
（４）本発明の好適な実施形態では、前記ガイドワイヤー通過用チューブ（ｄ）の樹脂外層が、ポリアミド系エラストマー、ナイロン、ポリエステル、ポリエステル系エラストマー、ポリウレタン系エラストマー、ポリオレフィン、ポリイミド、ポリイミドアミド、およびポリエーテルイミドのいずれかの樹脂材料からなる。
【００１５】
本発明のその他の特徴およびそれらの利点は、以下の実施形態および図面によって明らかにされる。
【発明の効果】
【００１６】
本発明の医療用バルーンカテーテルは、前記ガイドワイヤー通過用チューブ（ｄ）を、内層管と、当該内層管の少なくとも一部に線状体を左右いずれか一方向のみにコイル状に巻回した補強層と、前記内層管および補強層を覆う樹脂外層とを備えることを特徴とする複合チューブを用いることによって、内径が大きく、しかも外径が小さいことにより該医療用バルーンカテーテルの先端部を低プロファイル化し、かつ該補強材の弾性とコアワイヤの弾性との協調によって、狭小病変部通過性を特に高めた医療用バルーンカテーテルが得られるものである。
【００１７】
さらに、本発明の好適な実施形態では、ガイドワイヤー通過用チューブの内層管にフッ素系樹脂を用いることによりガイドワイヤの通過性を高め、かつガイドワイヤー通過用チューブの樹脂外層と血管拡張用バルーンとが、親和性の高い材料で構成されているために両者の接着あるいは溶着が良好であり、確実な手技を行える医療用バルーンカテーテルが得られるという効果がある。
【発明を実施するための最良の形態】
【００１８】
以下本発明に係わる医療用バルーンカテーテルの実施形態について説明する。
【００１９】
１．医療用バルーンカテーテルの全体構造
実施形態としての医療用バルーンカテーテルは、図３のように前記医療用バルーンカテーテルの先端側のみにガイドワイヤー通過用チューブ６が配設される高速交換型（ＲＸ型）カテーテルに関するものである。図３は本発明の医療用バルーンカテーテルの全体を示しているが、ハブ７、ストレインリリーフ８、基端部チューブ９、バルーン１０が存在する。
【００２０】
さらに図４には該医療用バルーンカテーテルの遠位部分、すなわちバルーンから基端部チューブの一部までの詳細図を示す。遠位部分には、近位部から順に基端部チューブ９、中間部チューブ１１、先端部チューブ１２、バルーン１０が存在する。先端部チューブ１２の内側とバルーン１０の内側にガイドワイヤー通過用チューブ６が存在する。これらはそれぞれ、熱融着あるいは接着剤によって接着されている。
【００２１】
基端部チューブ９はＡ−Ａ‘断面（図４参照）にも見られるようにバルーン拡張ルーメン１８をなすものであり、位置マーカー１３を配設してもよい。基端部（基端側）チューブの基端にはバルーンに圧力流体を供給するポートを備えたハブを有してもよい。
【００２２】
中間部チューブ１１と先端部チューブ１２内には、該医療用バルーンカテーテルの遠位側の剛性を高めることを目的にコアワイヤー１４が配置され、中間部チューブと先端部チューブのつなぎ目に相当する位置であるコアワイヤー固定部１５で固定されている。Ｂ−Ｂ‘断面図（図４参照）には、このコアワイヤー１４と中間部チューブ１１によるバルーン拡張ルーメン１８が存在する。
【００２３】
先端部チューブ１２の内側からバルーン１０の内側にかけては、ガイドワイヤー通過用チューブ６が存在する。Ｃ−Ｃ断面図（図４参照）にはこのガイドワイヤー通過用チューブ６とコアワイヤー１４と先端部チューブ１２によるバルーン拡張ルーメン１８が存在する。バルーン１０内には位置マーカー１６が存在する。先端部チューブ１２の近位部にはガイドワイヤー通過用チューブの基端側開口部であるガイドワイヤーポート１７が存在する。
【００２４】
２．バルーン
バルーン１０は先端部チューブ１２の遠位端とガイドワイヤー通過用チューブ６の遠位端に固定される。該ガイドワイヤー通過用チューブ６の先端には、先端開口部が設けられている。
【００２５】
バルーン１０は、内圧調節により膨張・収縮可能である。バルーン１０の製造方法としては、ディッピング成形、ブロー成形等があり、前記医療用バルーンカテーテルの使用用途に応じて適当な方法を選択することができる。中でも、血管或いは体腔の狭窄部を拡張治療する目的の医療用バルーンカテーテルの場合は、十分な耐圧強度を得るためブロー成形が好ましい。例を挙げると、まず、押出成形等により任意寸法のチューブ状パリソンを成形する。
【００２６】
このチューブ状パリソンを当該バルーン形状に一致する型を有する金型内に配置し、二軸延伸工程により軸方向と径方向とに延伸することにより、前記金型と同一形状のバルーンを成形する。尚、前記二軸延伸工程は加熱条件下で行われても良いし、複数回行われてもよい。また、軸方向の延伸については径方向の延伸と同時にもしくはその前後に行われても良い。さらに、バルーンの形状や寸法を安定化させるため、バルーンにアニーリング処理を施しても良い。
【００２７】
前記バルーン１０は図１あるいは図２のように直管部２ａとその先端側及び基端側に液密に接合を行うための接合部２ｂを有し、直管部と接合部の間にテーパー部２ｃを有している。前記バルーン２の寸法は、前記医療用バルーンカテーテルの使用用途により決定されるが、内圧調節により拡張されたときの直管部２ａの外径が１．５０〜３５．００ｍｍ、好ましくは１．５０〜３０．００ｍｍであり、直管部２ａの長さが１０．００〜８０．００ｍｍ、好ましくは１０．００〜６０．００ｍｍである。
【００２８】
３．材質
前記チューブ状パリソンの樹脂材料は特に限定されるものではなく、例えば、ポリオレフィン、ポリオレフィンエラストマー、ポリエステル、ポリエステルエラストマー、ポリアミド、ポリアミドエラストマー、ポリウレタン及びポリウレタンエラストマーなどが使用可能であり、これら樹脂材料の２種以上を混合したブレンド材料や２種以上の積層による多層構造を有していても構わない。
【００２９】
基端部チューブ９、中間部チューブ１１、先端部チューブ１２の材質は特に限定はされない。つまり、ポリオレフィン、ポリオレフィンエラストマー、ポリエステル、ポリエステルエラストマー、ポリアミド、ポリアミドエラストマー、ポリウレタン、ポリウレタンエラストマーなどが使用可能である。
【００３０】
コアワイヤー１４の材質としてはステンレス、Ｃ−Ｍｎ−Ｓｉ−Ｐ−Ｓ−Ｃｒ−Ｍｏ−Ｎｉ−Ｆｅ−Ｘ（Ｘ＝Ａｕ，Ｏｓ，Ｐｄ，Ｒｅ，Ｔａ，Ｉｒ，Ｒｕ）合金、Ｃ−Ｍｎ−Ｓｉ−Ｐ−Ｓ−Ｃｒ−Ｍｏ−Ｎｉ−Ｘ（Ｘ＝Ａｕ，Ｏｓ，Ｐｄ，Ｒｅ，Ｔａ，Ｉｒ，Ｒｕ）合金、銅、ニッケル、チタン、ピアノ線、Co−Cr合金、Ｎｉ−Ｔｉ合金、Ｎｉ−Ｔｉ−Ｃｏ合金、Ｎｉ−Ａｌ合金、Ｃｕ−Ｚｎ合金、Ｃｕ−Ｚｎ−Ｘ合金（例えば、Ｘ＝Ｂｅ、Ｓｉ、Ｓｎ、Ａｌ、Ｇａ）のような合金、アモルファス合金等の各種金属素線が用いられ、これらの材料のうち、適度な剛性を有し、加工性、経済性、毒性がないこと等の理由から、ステンレスの使用が好ましい。コアワイヤの形状としては中間部チューブの領域で徐々に細くなるようにテーパーがかかり、先端部チューブの領域で一定の直径を有することが好ましい。
【００３１】
位置マーカー１６の材質としては白金、金など、Ｘ線不透過性の高い金属を使用することが好ましい。
【００３２】
４．ガイドワイヤー通過用チューブ６の構造および製造過程
本発明の特徴的な構成の一つは、前記ガイドワイヤー通過用チューブ６は、内層管と、この内層管の少なくとも一部に補強材として線状体である素線を左右いずれか一方向のみにコイル状に巻回した補強層と、前記内層管および補強層を覆う樹脂外層とを備えることである。
【００３３】
ここで前記ガイドワイヤー通過用チューブ６の構造をより詳細に示すために、その製造過程を示す。
【００３４】
まず、図５のように金属芯線１９を準備する。この金属芯線はリール２０に巻かれており、その外径は製造するガイドワイヤー通過用チューブの内径とほぼ一致するものであり、材質としては金属メッキ銅線、あるいはステンレス線が好ましい。
【００３５】
続いて図６のように金属芯線上に内層管２１を押出機２２により押出被覆形成する。
【００３６】
（内層管）
この内層管の構成材料として、例えば、ポリテトラフルオロエチレン、テトラフルオロエチレン−パーフルオロアルキルビニルエーテル共重合体、テトラフルオロエチレン−ヘキサフルオロプロピレン共重合体、エチレン−テトラフルオロエチレン共重合体等のフッ素系樹脂、ポリプロピレン、ポリエチレン、エチレン−酢酸ビニル共重合体等のポリオレフィン、ポリアミド、ポリエチレンテレフタレート、ポリブチレンテレフタレート等のポリエステル、ポリウレタン、ポリ塩化ビニル、ポリスチレン系樹脂、ポリイミド等の樹脂、およびその混合物が挙げられるが、完成後の製品が内層管を通るガイドワイヤー等に対して優れた滑性を呈し、ガイドワイヤー追随性を伴う位置調整性を得る観点からは、ポリテトラフルオロエチレンまたはテトラフルオロエチレン−パーフルオロアルキルビニルエーテル共重合体で構成することが好ましい。ポリテトラフルオロエチレンを使用した際には、添加剤の乾燥等の処理を経てから、焼成を行う。
【００３７】
金属芯線に被覆された内層管は金属芯線に対して、充分な被着力を有していることが好ましい。さらに後の外層管を被覆する工程で、内層管と外層管との被着力を高める目的で、内層管表面に機械的な方法（サンドペーパーなどで内層管表面を擦るなどの手段）および／または化学的な方法（ナトリウムナフタリン＋ジメチルエーテル等の脱フッ素薬剤の使用）、および／またはプラズマなどの電気的な方法で凹凸を形成したり、表面改質したりしてもよい。
【００３８】
内層管を被覆した金属芯線は適宜の長さに切断され、両端の被覆を剥がした上で、図７のようにコイリングマシーン２３にセットされる。コイリングマシーンは内層管を被覆した金属芯線の両端を把持し、回転力を与えることで、内層管上に補強層を形成する素線をコイル状に巻回する装置である。
【００３９】
素線２４は図８のようにシュリンクチューブ２５や接着剤により端部を固定され、巻回を開始される。素線は素線供給部２６より供給される。
【００４０】
素線にはX線透過率の高い合成樹脂素線や金属素線が用いられる。この合成樹脂素線や金属素線は断面が円形状のものを用いることが好ましい。
【００４１】
（合成樹脂素線）
合成樹脂素線として特に好適に用いうるのは図９（ａ）の断面概念図に示すような溶融液晶ポリマーの芯２７に、溶融液晶ポリマーの島２８と屈曲性ポリマーの海２９からなる鞘が前記芯を覆った構造を有するものである。図９（ｂ）にこの部分の走査顕微鏡写真を示す。この溶融液晶ポリマーとしてはポリアリレート、屈曲性ポリマーとしてはポリエチレンナフタレートで形成されているものである。このような合成樹脂素線は溶融液晶ポリマーの芯が鞘で覆われている構造をとるために加工時に溶融液晶ポリマーの芯がフィブリル化して毛羽立ったりすることがない。このような構造を有する合成樹脂素線は、芯部分に相当する溶融液晶ポリマーを溶融して押し出す口金と、これと同軸上に配置され鞘部分に相当する溶融液晶ポリマーと屈曲性ポリマーの混合物を溶融して押し出す口金とから、それぞれのポリマーを押出ながら紡糸を行うことにより得ることがきる。好適に用いられる合成樹脂素線の直径として好ましくは５〜５０μｍのものを用いるのが好ましい。
【００４２】
本発明に用いられる他の合成樹脂素線としては、例えば、ポリエチレンテレフタレート、ポリブチレンテレフタレート、ポリメチレンテレフタレートのようなポリエステル、ポリエチレン、ポリプロピレンのようなポリオレフィン、硬質ポリ塩化ビニル、ポリアミド、ポリイミド、ポリスチレン、熱可塑性ポリウレタン、ポリカーボネート、ＡＢＳ樹脂、アクリル樹脂、ポリメチルメタクリレート、ポリアセタール、ポリアリレート、ポリオキシメチレン、高張力ポリビニルアルコール、フッ素樹脂、ポリフッ化ビニリデン、ポリテトラフルオロエチレン、エチレン−酢酸ビニルケン化物、ポリスルホン、ポリエーテルスルホン、ポリエーテルケトン、ポリフェニレンオキサイド、ポリフェニレンスルフィド、ケブラーに代表される芳香族ポリアラミドなど、これらのうちのいずれかを含むポリマーアロイ、カーボンファイバー、グラスファイバーが挙げられる。
【００４３】
（金属素線）
金属素線としては、ステンレス、Ｃ−Ｍｎ−Ｓｉ−Ｐ−Ｓ−Ｃｒ−Ｍｏ−Ｎｉ−Ｆｅ−Ｘ（Ｘ＝Ａｕ，Ｏｓ，Ｐｄ，Ｒｅ，Ｔａ，Ｉｒ，Ｒｕ）合金、Ｃ−Ｍｎ−Ｓｉ−Ｐ−Ｓ−Ｃｒ−Ｍｏ−Ｎｉ−Ｘ（Ｘ＝Ａｕ，Ｏｓ，Ｐｄ，Ｒｅ，Ｔａ，Ｉｒ，Ｒｕ）合金、銅、ニッケル、チタン、ピアノ線、Co−Cr合金、Ｎｉ−Ｔｉ合金、Ｎｉ−Ｔｉ−Ｃｏ合金、Ｎｉ−Ａｌ合金、Ｃｕ−Ｚｎ合金、Ｃｕ−Ｚｎ−Ｘ合金（例えば、Ｘ＝Ｂｅ、Ｓｉ、Ｓｎ、Ａｌ、Ｇａ）のような合金、アモルファス合金等の各種金属素線が用いられ、これらの材料のうち、加工性、経済性、毒性がないこと等の理由から、ステンレスの使用が好ましい。金属素線は、直径５〜５０μｍ程度とするのが好ましい。
【００４４】
これらの素線は、素線単独で用いてもよいし、または素線の集合体（例えば合成樹脂素線を束ねたもの、金属素線を束ねたもの、合成樹脂素線と金属素線を束ねたものなど）のいずれでもよい。
【００４５】
（巻回ピッチ）
素線の巻回ピッチは図１０のように一定間隔でも良いし、間隔が異なっても良い。間隔が異なる場合はガイドワイヤー通過用チューブの遠位部に相当する位置の方がよりピッチが小さくなる方が好ましい。素線の巻回ピッチは柔軟性と補強効果を併せ持つことから０．１〜２．０ｍｍであることが好ましい。
【００４６】
素線の巻回ができたものは、素線の終端を接着剤などで固定してから素線を切断する。
【００４７】
続いて、図１１のように内層管と補強層を樹脂外層３０で覆う。該樹脂外層３０は補強層が巻回された内層管の外径よりもわずかに大きな内径を有する樹脂管である。
【００４８】
狭小病変部通過性を高めた本発明の医療用バルーンチューブは上記の補強材層を有したガイドワイヤ通過用チューブとコアワイヤ等との協調により、その構造を総合してバルーンカテーテル遠位部にコシを持たせることによって、病変部への到達性、拡張治療の確実性が高い医療用バルーンチューブを得ることができる。
【００４９】
（樹脂外層）
外層管を形成する樹脂管の材質としてはポリアミドエラストマー、ポリエステルエラストマー、ポリウレタンエラストマー、ポリスチレンエラストマー、フッ素系エラストマー、シリコーンゴム、ラテックスゴム等の各種エラストマー、またはこれらのうちの２以上を組み合わせたものが使用可能である。
【００５０】
ここで、ポリアミドエラストマーとは、例えば、ナイロン６、ナイロン６４、ナイロン６６、ナイロン６１０、ナイロン６１２、ナイロン４６、ナイロン９、ナイロン１１、ナイロン１２、Ｎ−アルコキシメチル変性ナイロン、ヘキサメチレンジアミン−イソフタル酸縮重合体、メタキシロイルジアミン−アジピン酸縮重合体のような各種脂肪族または芳香族ポリアミドをハードセグメントとし、ポリエステル、ポリエーテル等のポリマーをソフトセグメントとするブロック共重合体が代表的であり、その他、前記ポリアミドと柔軟性に富む樹脂とのポリマーアロイ（ポリマーブレンド、グラフト重合、ランダム重合等）や、前記ポリアミドを可塑剤等で軟質化したもの、さらには、これらの混合物をも含む概念である。
【００５１】
また、ポリエステルエラストマーとは、ポリエチレンテレフタレート、ポリブチレンテレフタレート等の飽和ポリエステルと、ポリエーテルまたはポリエステルとのブロック共重合体が代表的であり、その他、これらのポリマーアロイや前記飽和ポリエステルを可塑剤等で軟質化したもの、さらには、これらの混合物をも含む概念である。
【００５２】
好適に用いられる材料としては、その加工性、柔軟性の観点からポリアミドエラストマーが好ましく、例えばelf atochem社製のPEBAXなどがその代表として挙げられる。ガイドワイヤー通過用チューブとバルーンの材質を同じものとすれば、両者を加熱融着する場合に、強く、液密に一体化することができる。
【００５３】
樹脂外層は同じ硬度を持つものであっても良いし、ガイドワイヤー通過用チューブの遠位部に相当する位置がより柔軟なものであっても良い。
【００５４】
樹脂外層で覆われたものを、さらに、加熱することによりその径が縮小する性質を有するシュリンクチューブ３１で全体を覆う。シュリンクチューブはポリテトラフルオロエチレンやパーフルオロエチレン−プロペンコポリマーなどを材質としていることが好ましい。
【００５５】
この後、シュリンクチューブがチューブが収縮する温度までヒーターで加熱させるか、高周波電磁波を与えて加熱し、内層管、補強層、樹脂外層を一体化する。しかる後、シュリンクチューブを剥ぎ、金属芯線を抜いてガイドワイヤー通過用チューブを得る。
【００５６】
５．実施形態による効果
このようにして得られたガイドワイヤー通過用チューブは、これを用いて医療用バルーンカテーテルを構成した際、狭小病変部に送達する時に、素線をコイル状に巻回した補強材の効果により、容易には座屈をおこしたり、キンクを生じたりすることなく、バルーンカテーテルを押す力が伝達され、病変部への到達性、拡張治療の確実性が高くなる。
【００５７】
６．親水性コーティング
また、医療用バルーンカテーテルの外面には、血管内あるいはガイドカテーテル内への挿入を容易にする為に親水性のコーティングを施すことができる。すなわち、基端部チューブ、中間部チューブ、先端部チューブ、バルーンの外面等、血液と接触する部位に血液と接触時に潤滑性を呈する親水性コーティングを施すことが好ましい。親水性のコーティングの種類は特に限定されず、ポリ（２−ヒドロキシエチルメタクリレート）、ポリアクリルアミド、ポリビニルピロリドン等の親水性ポリマーが好適に使用でき、コーティング方法も限定されない。
【図面の簡単な説明】
【００５８】
【図１】図１は、一般的なＰＴＣＡ用バルーンカテーテルのうち、オーバー・ザ・ワイヤ型の概略斜視図を示す。
【図２】図２は、一般的なＰＴＣＡ用バルーンカテーテルのうち、高速交換型の概略斜視図を示す。
【図３】図３は、本発明の実施形態の全体的な構成図を示す。
【図４】図４は、本発明の実施形態としての医療用バルーンカテーテルの遠位部分を示す。
【図５】図５は、金属芯線をリールに巻く工程を示す。
【図６】図６は、金属芯線上に内層管を押出被覆する工程を示す。
【図７】図７は、コイリングマシーンにより素線をコイル状に巻回する工程を示す。
【図８】図８は、素線の巻回開始の工程を示す。
【図９】図９は、合成樹脂素線として特に好適に用いうる素線の構造の概略を示す。
【図１０】図１０は、素線の巻回状態を示す。
【図１１】図１１は、内層管と補強層とを樹脂外層で覆い、さらにシュリンクチューブを被せた状態を示す。
【符号の説明】
【００５９】
１  カテーテルシャフト
２  バルーン
３  ハブ
４  ガイドワイヤルーメン
５  ガイドワイヤポート
６  ガイドワイヤー通過用チューブ
７  ハブ
８  ストレインリリーフ
９  基端部チューブ
１０  バルーン
１１  中間部チューブ
１２  先端部チューブ
１３  位置マーカー
１４  コアワイヤー
１５  コアワイヤー固定部
１６  位置マーカー
１７  ガイドワイヤーポート
１８  バルーン拡張ルーメン
１９  金属芯線
２０  リール
２１  内層管
２２  押出機
２３  コイリングマシーン
２４  素線
２５  シュリンクチューブ
２６  素線供給部
２７  溶融液晶ポリマーの芯
２８  溶融液晶ポリマーの島（鞘）
２９  屈曲性ポリマーの海（鞘）
３０  樹脂外層
３１  シュリンクチューブ
【図１】
2008043547.tif 000003
【図２】
2008043547.tif 000004
【図３】
2008043547.tif 000005
【図４】
2008043547.tif 000006
【図５】
2008043547.tif 000007
【図６】
2008043547.tif 000008
【図７】
2008043547.tif 000009
【図８】
2008043547.tif 000010
【図１０】
2008043547.tif 000011
【図１１】
2008043547.tif 000012
【図９】
2008043547.tif 000013